(57)【要約】【課題】情報処理部と画像形成部との間に隙間が形成されておらず、情報処理部の筐体の上側に面に通気口形成されていない場合と比較して、情報処理部からの発熱を促進することができる画像形成装置を提供する。【解決手段】画像形成装置１０は、筐体２１０を備えたサーバ２００と、筐体２１０の重力方向上方に配置された画像形成部１００と、を有し、筐体２１０と画像形成部１００との間に隙間Ｃがあり、筐体２１０の上側の面に通気口２１２が形成されている。【選択図】図１
2020027160.tif 000002
【特許請求の範囲】
【請求項１】
筐体を備えた情報処理部と、
前記筐体の重力方向上方に配置された画像形成部と、
を有し、
前記筐体と前記画像形成部との間に隙間があり、前記筐体の上側の面に通気口が形成されている画像形成装置。
【請求項２】
前記情報処理部は、前記筐体内に配置されていて、放熱を促す放熱促進部を有し、
前記隙間は、少なくとも、前記筐体の前記放熱促進部の重力方向における上側の位置と前記画像形成部との間に形成されている請求項１記載の画像形成装置。
【請求項３】
前記情報処理部は、前記筐体内に配置された送風装置を有し、
前記通気口は、前記送風装置による送風方向において前記送風装置よりも下流側に形成されている請求項１記載の画像形成装置。
【請求項４】
前記情報処理部は、前記筐体内に配置された送風装置を有し、
前記通気口は、前記送風装置による送風方向において前記送風装置よりも下流側に形成されている請求項２記載の画像形成装置。
【請求項５】
前記情報処理部は、前記筐体内に配置されていて、放熱を促す放熱促進部を有し、
前記通気口は、前記送風方向において前記放熱促進部よりも下流側に形成されている請求項３記載の画像形成装置。
【請求項６】
前記通気口は、前記送風方向において前記放熱促進部よりも下流側に形成されている請求項４記載の画像形成装置。
【請求項７】
前記通気口は、前記送風方向における下流側の単位面積当たりの開口面積が、上流側の単位面積当たりの開口面積よりも大きいように形成されている請求項３から６いずれか記載の画像形成装置。
【請求項８】
前記隙間内に配置されていて、前記画像形成部を重力方向下側から支持する支持部をさらに有する請求項１から７いずれか記載の画像形成装置。
【請求項９】
前記画像形成部は、
記録媒体にトナー像を形成するトナー像形成部と、
前記トナー像形成部に供給される記録媒体が収納される収納部と、
を有し、
前記収納部は、前記情報処理部より重力方向上方であって、前記トナー像形成部よりも重力方向下方に配置されている請求項１から８いずれか記載の画像形成装置。
【発明の詳細な説明】
【技術分野】
【０００１】
本発明は、画像形成装置に関する。
【背景技術】
【０００２】
特許文献１には、画像形成装置本体と、前記画像形成装置本体内に設けられ、記録媒体を収容する記録媒体収容部と、前記記録媒体収容部の上方に配置され前記画像形成装置本体内を加熱する加熱手段と、前記加熱手段の温度を検知する温度検知手段と、を備え、前記温度検知手段が前記記録媒体収容部の高温部に配置されている、ことを特徴とする画像形成装置が記載されている。
【先行技術文献】
【特許文献】
【０００３】
【特許文献１】特開２０１６−２０６３３２号公報
【発明の概要】
【発明が解決しようとする課題】
【０００４】
情報処理部と、情報処理部の上方に配置された画像形成部とを有する画像形成装置においては、情報処理部からの放熱が画像形成部によって抑制される虞がある。
【０００５】
本発明は、情報処理部と画像形成部との間に隙間が形成されておらず、情報処理部の筐体の上側に面に通気口形成されていない場合と比較して、情報処理部からの発熱を促進することができる画像形成装置を提供することを目的とする。
【課題を解決するための手段】
【０００６】
請求項１に係る本発明は、
筐体を備えた情報処理部と、
前記筐体の重力方向上方に配置された画像形成部と、
を有し、
前記筐体と前記画像形成部との間に隙間があり、前記筐体の上側の面に通気口が形成されている画像形成装置である。
【０００７】
請求項２に係る本発明は、
前記情報処理部は、前記筐体内に配置されていて、放熱を促す放熱促進部を有し、
前記隙間は、少なくとも、前記筐体の前記放熱促進部の重力方向における上側の位置と前記画像形成部との間に形成されている請求項１記載の画像形成装置である。
【０００８】
請求項３に係る本発明は、
前記情報処理部は、前記筐体内に配置された送風装置を有し、
前記通気口は、前記送風装置による送風方向において前記送風装置よりも下流側に形成されている請求項１記載の画像形成装置である。
【０００９】
請求項４に係る本発明は、
前記情報処理部は、前記筐体内に配置された送風装置を有し、
前記通気口は、前記送風装置による送風方向において前記送風装置よりも下流側に形成されている請求項２記載の画像形成装置である。
【００１０】
請求項５に係る本発明は、
前記情報処理部は、前記筐体内に配置されていて、放熱を促す放熱促進部を有し、
前記通気口は、前記送風方向において前記放熱促進部よりも下流側に形成されている請求項３記載の画像形成装置である。
【００１１】
請求項６に係る本発明は、前記通気口は、前記送風方向において前記放熱促進部よりも下流側に形成されている請求項４記載の画像形成装置である。
【００１２】
請求項７に係る本発明は、前記通気口は、前記送風方向における下流側の単位面積当たりの開口面積が、上流側の単位面積当たりの開口面積よりも大きいように形成されている請求項３から６いずれか記載の画像形成装置である。
【００１３】
請求項８に係る本発明は、前記隙間内に配置されていて、前記画像形成部を重力方向下側から支持する支持部をさらに有する請求項１から７いずれか記載の画像形成装置である。
【００１４】
請求項９に係る本発明は、
前記画像形成部は、
記録媒体にトナー像を形成するトナー像形成部と、
前記トナー像形成部に供給される記録媒体が収納される収納部と、
を有し、
前記収納部は、前記情報処理部より重力方向上方であって、前記トナー像形成部よりも重力方向下方に配置されている請求項１から８いずれか記載の画像形成装置である。
【発明の効果】
【００１５】
請求項１に係る本発明によれば、情報処理部と画像形成部との間に隙間が形成されておらず、情報処理部の筐体の上側に面に通気口形成されていない場合と比較して、情報処理部からの発熱を促進することができる。
【００１６】
請求項２に係る本発明によれば、放熱促進部の重力方向における上側の位置に隙間が形成されていない場合と比較して、情報処理部からの発熱を促進することができる。
【００１７】
請求項３、４に係る本発明によれば、送風方向において送風装置よりも上流側に通気口が形成されている場合と比較して、筐体内の空気を筐体外に排出しやすくすることができる。
【００１８】
請求項５、６に係る本発明によれば、送風方向において放熱促進部よりも上流側に通気口が形成されている場合と比較して、放熱部近傍における気流を強くすることができる。
【００１９】
請求項７に係る本発明によれば、送風方向における下流側の単位面積当たりの開口面積が、上流側の単位面積当たり開口面積よりも小さい場合と比較して、筐体内部における気流を強くすることができる。
【００２０】
請求項８に係る本発明によれば、支持部を有せず、画像形成部の本体の底面の一部だけで画像形成部を支持する場合と比較して、画像形成部の歪みを生じにくくすることができる。
【００２１】
請求項９に係る本発明によれば、情報処理部とトナー像形成部との間に収納部がない場合と比較して、情報処理部から発せられた熱がトナー像形成部に伝わりにくくすることができる。
【図面の簡単な説明】
【００２２】
【図１】本発明の第１の実施形態である画像形成装置を示す斜視図である。
【図２】図１に示す画像形成装置が有する画像形成部を示す断面図である。
【図３】図１に示す画像形成装置が有するサーバ装置を示す斜視図である。
【図４】図３に示すサーバ装置の断面図である。
【図５】図１に示す画像形成装置の隙間の位置を説明する図である。
【図６】図３に示すサーバの筐体に形成された通気孔を説明する図である。
【図７】本発明の第２の実施形態である画像形成装置を示す図である。
【図８】本発明の第３の実施形態である画像形成装置を示す斜視図である。
【図９】図８に示す画像形成装置の一部断面図である。
【発明を実施するための形態】
【００２３】
次に、本発明を実施するための形態を図面を参照して説明する。図１には、本発明の第１の実施形態である画像形成装置１０が示されている。図１に示すように、画像形成装置１０は、サーバ２００を有する。サーバ２００は、情報処理部の一例であって、筐体２１０を備えている。
【００２４】
画像形成装置１０は、画像形成部１００をさらに有する。画像形成部１００は、サーバ２００の重力方向上方に配置されている。
【００２５】
また、筐体２１０と画像形成部１００との間には隙間Ｃがあり、筐体２１０の上側の面には通気口２１２が形成されている。また、筐体２１０の前側の側面に、通気口２１４が形成されている。尚、図１においては、通気口２１２は模式的に示されていて、その形状、その大きさ、その配置は、正確ではない。通気口２１２の詳細は、後述する。
【００２６】
画像形成装置１０は、支持部５１０をさらに有する。支持部５１０は、隙間Ｃ内に配置されていて、重力方向下側から画像形成部１００を支持している。また、支持部５１０は、筐体２１０の上向の面に支持されている。画像形成装置１０は、４個の支持部５１０を有するものの、図１においては、３個の支持部５１０だけが図示されている。
【００２７】
図２には、画像形成部１００が示されている。画像形成部１００は、例えば普通紙等の記録媒体に画像を形成する。画像形成部１００は、画像形成部本体１１０を有し、画像形成部本体１１０内に、トナー像形成部１０２が配置されている。
【００２８】
トナー像形成部１０２は、イエローのトナー像を形成するユニット１２０Ｙと、マゼンタのトナー像を形成するユニット１２０Ｍと、シアンのトナー像を形成するユニット１２０Ｃと、黒のトナー像を形成するユニット１２０Ｋとを有する。
【００２９】
トナー像形成部１０２は、転写装置１３０をさらに有する。転写装置１３０は、中間転写体１３２を有し、ユニット１２０Ｙ、ユニット１２０Ｍ、ユニット１２０Ｃ、ユニット１２０Ｋでそれぞれに形成されたトナー像を中間転写体１３２に転写させ、中間転写体１３２に転写させたトナー像をさらに記録媒体へと転写させる。
【００３０】
画像形成部１００は、記録媒体に転写されたトナー像を記録媒体に定着させる定着装置１４０をさらに有する。
【００３１】
画像形成部本体１１０内には、記録媒体を搬送するための搬送路１５０が形成されている。
【００３２】
画像形成部本体１１０内には、収納部１６０がさらに配置されている。収納部１６０には、トナー像形成部１０２に供給される記録媒体が収納されている。また、収納部１６０には、収納部１６０に収納された記録媒体をトナー像形成部１０２に向けて送り出す送出装置１６２が取り付けられている。
【００３３】
また、収納部１６０は、サーバ２００よりも重力方向上方であって、トナー像形成部１０２よりも重力方向下方に配置されている。
【００３４】
図３と図４とには、サーバ２００が示されている。尚、図３においては、サーバ２００内部の構成を図示するために、筐体２１０を想像線で示している。図３及び図４に示すように、サーバ２００は、基板２２０を有する。基板２２０は、筐体２１０内に配置されている。
【００３５】
サーバ２００は、プロセッサ２２２をさらに有する。プロセッサ２２２は、例えば２つが基板２２０に装着されている。プロセッサ２２２は、発熱部の一例であって、演算に伴って発熱する。
【００３６】
サーバ２００は、ヒートシンク２２４をさらに有する。ヒートシンク２２４は、筐体２１０内に配置されていて、放熱を促す放熱促進部の一例である。ここで、放熱促進部とは、接触する他の部材よりも熱伝導性の高い材質からからなり、例えばアルミニュームや銅を材質とし、接触する他の部材から放熱と、接触する他の部材の冷却とを促進する部材をいう。ヒートシンク２２４は、それぞれのプロセッサ２２２の上側の面に接触するように、それぞれのプロセッサ２２２に装着されている。
【００３７】
サーバ２００は、メモリ２２６をさらに有する。メモリ２２６は、データを記録する記録媒体の一例であって、例えば７個が基板２２０に装着されている。
【００３８】
サーバ２００は、電源２２８を有する。電源２２８は、基板２２０に装着されている。
【００３９】
サーバ２００は、送風ファン２３０をさらに有する。送風ファン２３０は、送風装置の一例であって、例えば３個が筐体２１０内に配置されていて、図３及び図４に矢印ａで示す送風方向に送風する。
【００４０】
図５は、隙間Ｃの位置を説明する模式図である。図５に示すように、隙間Ｃは、少なくとも筐体２１０のヒートシンク２２４の重力方向における上側の位置Ｐと画像形成部１００との間に隙間が生じるように形成されている。
【００４１】
図６は、通気口２１４を説明する模式図である。図６に示すように、通気口２１２は、矢印ａで示す送風ファン２３０による送風方向（以下、送風方向とする）において、送風ファン２３０よりも下流側に形成されている。また、通気口２１２は、送風方向において、ヒートシンク２２４よりも下流側に形成されている。更に、通気口２１２を、送風方向においてヒートシンク２２４や送風ファン２３０と重なるようにも形成したり、これらより上流側にも形成しても良い。しかし、通気口２１２をヒートシンク２２４よりも下流側にのみ形成することで、通気口２１２をヒートシンク２２４と重なるようにも形成したり、ヒートシンク２２４より上流側にも形成する場合と比較して、ヒートシンク２２４を通過する前の送風が通気口２１２から出てしまうことを抑制する。これにより、ヒートシンク２２４を通過する風量を増加させることができる。
【００４２】
また、図６に示すように、通気口２１２は、送風方向における下流側の単位面積あたりの開口面積が、上流側の単位面積あたりの開口面積よりも大きくなるように形成されている。具体的には、送風方向の下流側に位置する通気口２１２の面積が、送風方向の上流側に位置する通気口２１２の面積よりも大きくなっている。
【００４３】
ここで、送風方向における下流側の単位面積あたりの開口面積が、上流側の単位面積あたりの開口面積よりも大きくなるように通気口２１２を形成するには、通気口２１２の大きさを一定として、下流側の単位面積あたり通気口２１２の数が、上流側の単位面積あたりの通気口２１２の数よりも多くなるようにしてもよい。また、通気口２１２の開口の単位面積あたりの面積を、送風方向の上流側か下流側へと徐々に大きくすることに変えて、例えば、２段階等、段階的に変化するようにしてもよい。
【００４４】
図７には、本発明の第２実施形態である画像形成装置１０が示されている。この第２の実施形態の画像形成装置１０は、先述の第１の実施形態の画像形成装置１０が有する構成を全て有することに加えて、サーバ２００内の温度に応じて、サーバ２００に対して画像形成部１００を昇降させる昇降機構６１０を有している。
【００４５】
昇降機構６１０は、例えば油圧機構からなり、筐体２１０内の温度を検知する温度検知センサ６１２の出力に基づき、制御部６１４によって制御される。具体的には、筐体２１０内の温度が２５℃に到達した場合に、画像形成装置１０を規定の位置から５０ｍｍ上昇させ、筐体２１０内の温度が３０℃に到達した場合に、画像形成装置１０を規定の位置から１００ｍｍ上昇させ、筐体２１０内の温度が３５℃まで到達した場合に、画像形成部１００を規定の位置から２００ｍｍ上昇させるように制御される。
【００４６】
図８と図９とには、本発明の第３の実施形態の画像形成装置１０が示されている。先述の第１の実施形態の画像形成装置１０においては、画像形成部１００は４個の支持部５１０で筐体２１０の上側の面に支持されていて、筐体２１０の上側の面と画像形成部本体１１０の底面１１０ａとは接触することなく、筐体２１０と画像形成部本体１１０との間に隙間Ｃが形成されていた。これに対して、この第３の実施形態では、筐体２１０の上側の面と、画像形成部本体１１０の底面１１０ａの一部とは接触していて、画像形成部本体１１０は、画像形成部本体１１０の底面１１０ａの一部と、例えば２つの支持部５１０とで筐体２１０の上側の面に支持されている。そして、筐体２１０と、画像形成部本体１１０の底面１１０ａの筐体２１０と接触しない部分との間に、隙間Ｃが形成されている。
【００４７】
また、この第３の実施形態においても、先述の第１の実施形態と同様に、隙間Ｃは、少なくとも筐体２１０のヒートシンク２２４の重力方向における上側の位置Ｐと画像形成部１００との間に隙間が生じるように形成されている。以上で説明をした部分を除き、この第３の実施形態の画像形成装置１０は、先述の第１の実施形態の画像形成装置１０と同様に構成されているため、同様に構成されている部分の説明は省略する。
【符号の説明】
【００４８】
１０・・・画像形成装置
１００・・・画像形成部
１０２・・・トナー像形成部
１１０・・・画像形成部本体
１１０ａ・・・底面
１６０・・・収納部
２００・・・サーバ
２１０・・・筐体
２１２・・・通気口
２２４・・・ヒートシンク
２３０・・・送風ファン
５１０・・・支持部
Ｃ・・・隙間
【図１】
2020027160.tif 000003
【図２】
2020027160.tif 000004
【図３】
2020027160.tif 000005
【図４】
2020027160.tif 000006
【図５】
2020027160.tif 000007
【図６】
2020027160.tif 000008
【図７】
2020027160.tif 000009
【図８】
2020027160.tif 000010
【図９】
2020027160.tif 000011